(57)【要約】【課題】  表示装置での表示箇所の素早いスクロールおよびゆっくりしたスクロールに対応可能とし、素早くスクロールする際のユーザの負担を軽減できるようにする。【解決する手段】  入力装置では、回転軸１２を中心に回転可能なダイヤル１１ａとこのダイヤル１１ａの回転方向および回転量を検出する回転測定部１３とを備え、ダイヤル１１ａの外周面（回転操作面）を操作して入力を行う。ダイヤル１１ａは、回転操作面を操作する軸方向の位置によって回転速度が変化するように、軸方向において外径が変化している。【選択図】  図１
2005234713.tif 000002
【特許請求の範囲】
【請求項１】
軸を中心に回転可能な回転部材とこの回転部材の回転方向および回転量を検出する回転検出手段とを備え、前記回転部材の外周面である回転操作面を操作することにより入力を行う入力装置であって、
前記回転部材は、前記回転操作面を回転操作する場合の軸方向の位置によって回転速度が変化するように、前記軸方向において外径が変化していることを特徴とする入力装置。
【請求項２】
前記回転部材の形状は、錐台形状部を含んでいることを特徴とする請求項１に記載の入力装置。
【請求項３】
前記回転部材は、外径が軸方向において段階的に変化していることを特徴とする請求項１に記載の入力装置。
【請求項４】
前記回転部材の形状は、軸方向の中央部における外径が最大となり、前記中央部を通りかつ軸方向に垂直な面の両側の形状が対称であることを特徴とする請求項１に記載の入力装置。
【請求項５】
請求項１に記載の入力装置を備えていることを特徴とする電子装置。
【請求項６】
前記回転部材は、電子装置の操作面において前記回転操作面が露出した状態に設けられ、かつ電子装置の前記操作面からの前記回転操作面の突出量を抑える方向に、前記操作面に対して軸方向が傾斜していることを特徴とする請求項５に記載の電子装置。
【請求項７】
前記回転部材の形状は錐台形状部を含んでおり、かつこの錐台形状部が電子装置の前記操作面から露出しており、この露出部分における前記回転操作面の稜線が電子装置の前記操作面と平行であることを特徴とする請求項５に記載の電子装置。
【請求項８】
テキストあるいは画像などの電子データを記憶する電子データ記憶手段と、
この電子データ記憶手段に記憶されている電子データを表示する表示手段と、
前記入力装置の回転検出手段が検出した前記回転部材の回転方向および回転量に基づいて、前記表示手段における電子データの表示位置を前記回転量に応じた量だけ移動させるスクロール制御手段とを備えていることを特徴とする請求項５に記載の電子装置。
【請求項９】
第１の筐体部と第２の筐体部とを有し、第１の筐体部に対して第２の筐体部が開閉可能に設けられ、前記操作面は、第１の筐体部に対して第２の筐体部を閉じた場合の両筐体部の対向面における何れか一方の面であることを特徴とする請求項６に記載の電子装置。
【発明の詳細な説明】
【技術分野】
【０００１】
本発明は、例えば、複数のメニューの選択あるいは表示箇所のスクロールなどに使用される入力装置及びその入力装置を搭載した電子装置に関するものであり、特に携帯電話などの電子装置に用いるのに好適なものである。
【背景技術】
【０００２】
従来、電子書籍などの表示装置において表示箇所を上下にスクロールさせる入力装置として、小型のダイヤルを回転させ、その回転量に応じてページめくりを行い、ダイヤル自身を押下することでページの確定操作を行う、いわゆるジョグダイヤルがある。ジョグダイヤルは、ダイヤルの回転方向を変えるだけで、前ページ戻りあるいは次ページめくりが可能であるので、上キーと下キーといったように異なるキーを押さなければならないものよりも使い勝手が良い。
【０００３】
従来、ジョグタイヤルにおけるダイヤルの形状は、特開２００２−９１６９４のような略円柱の形状が主流である。また、特開２００１−１４２６１３では、２つのダイヤルを用いた入力装置が開示されている。さらに具体的には、特開２００１−１４２６１３の入力装置は、二つのダイヤルを互いに交差する位置に配置することによって、少ない設置面積で装置が構成できることを特徴としている。
【特許文献１】特開２００２−９１６９４（公開日  平成１４年３月２９日）
【特許文献２】特開２００１−１４２６１３（公開日  平成１３年５月２５日）
【発明の開示】
【発明が解決しようとする課題】
【０００４】
従来のジョグダイヤルでは、表示箇所を素早くスクロールする場合、ユーザがダイヤルを高速に回転させる必要がある。ダイヤルを高速に回転させるためには、指を速く動かす必要があり、ユーザの負担が大きかった。また、そのときに起こる摩擦などによって、ジョグダイヤルの回転軸あるいはダイヤル周辺のハードウェアに損傷を受けることがあった。
【０００５】
また、２つのジョグダイヤルを用いた場合では、ジョグダイヤルの回転量を検出する装置が２つ必要になる結果、高コストになりあるいは小型化などの妨げになる。また、複雑なハードウェア構成になってしまい、ユーザの使い勝手が悪いという欠点も招来する。
【０００６】
本発明は、上記の課題を解決するためになされたものであって、例えば、表示装置での表示箇所の素早いスクロールおよびゆっくりしたスクロールに対応可能であるとともに、表示箇所を素早くスクロールする際のユーザの負担を軽減でき、かつ、そのような機能を単純な構成で実現可能な入力装置及びそれを備えた電子装置の提供を目的としている。
【課題を解決するための手段】
【０００７】
（発明のポイント）
上記課題を解決する発明のポイントをまとめると以下のとおりである。
・本発明では、錐台などのように、その回転軸の方向において外径が変化している形状（例えば外径が漸次大きくなっていく形状）をしたダイヤル（回転部材）をジョグダイヤルに用いるので、ダイヤルを操作する指の位置によって、小さな指の動きでダイヤルを１回転させたり、大きな指の動きでダイヤルを１回転させたりすることができる。例えば、図７の位置１でのダイヤルの外径（外周）は、位置２でのダイヤルの外径（外周）よりも小さい。即ち、位置１では、位置２よりも小さな指の動きにてダイヤルを１回転（３６０度回転）可能である。したがって、表示箇所を素早くスクロールするために、従来技術ではダイヤルを高速回転させる必要があったが、本発明の入力装置（例えばジョグダイヤル）では回転させるダイヤルの操作位置を変えてダイヤルを回転させるだけで良い。
・電子装置本体からダイヤルの突出部が出ないように、装置表面に対して回転軸を傾けて入力装置を設置するので、装置表面の出っ張り部分が小さくなり、その電子装置をポケット等に入れても衣服を傷つけにくい。特に、折畳み型電子装置などでは折り畳んだときに入力装置と対向する面を掘り込む必要がなくなる。
この発明のポイントに基づいた構成は、具体的には、以下のようになる。
【０００８】
本発明の入力装置は、軸を中心に回転可能な回転部材とこの回転部材の回転方向および回転量を検出する回転検出手段とを備え、前記回転部材の外周面である回転操作面を操作することにより入力を行う入力装置であって、前記回転部材は、前記回転操作面を回転操作する場合の軸方向の位置によって回転速度が変化するように、前記軸方向において外径が変化していることを特徴としている。
【０００９】
上記の構成によれば、回転部材は軸の方向において外径が変化しているので、回転部材を回転操作する場合の軸方向の位置によって、小さな指の動きでダイヤルを１回転させたり、大きな指の動きでダイヤルを１回転させたりすることができる。
【００１０】
これにより、例えば、本入力装置を表示装置のスクロール操作用の入力装置として使用した場合には、表示装置での表示箇所の素早いスクロールおよびゆっくりしたスクロールに容易に対応可能である。また、表示箇所を素早くスクロールする際のユーザの負担を軽減でき、かつそのような機能を単純な構成で実現可能である。
【００１１】
上記の入力装置において、前記回転部材の形状は、錐台形状部を含んでいる構成としても良い。
【００１２】
上記の構成によれば、回転部材の形状は錐台形状部を含んでいるので、小さな指の動きで回転部材を１回転させたり、大きな指の動きで回転部材を１回転させたりする場合の操作位置の選択が容易である。
【００１３】
上記の入力装置において、前記回転部材は、外径が軸方向において段階的に変化している構成としても良い。
【００１４】
上記の構成によれば、回転部材は外径が軸方向において段階的に変化しているので、ユーザにとって外径の変化が分かりやすく、小さな指の動きで回転部材を１回転させたり、大きな指の動きで回転部材を１回転させたりする場合の操作位置の選択が容易である。また、回転部材を異なる操作位置で回転操作して回転させる場合の操作が容易である。
【００１５】
上記の入力装置において、前記回転部材の形状は、軸方向の中央部における外径が最大となり、前記中央部を通りかつ軸方向に垂直な面の両側の形状が対称となる構成としても良い。
【００１６】
上記の構成によれば、回転部材は外径が軸方向において変化しているので、小さな指の動きで回転部材を１回転させたり、大きな指の動きで回転部材を１回転させたりすることができる。また、左利きあるいは右利きに関係なく、同じ感覚で操作ができるという利点がある。
【００１７】
本発明の電子装置は、本発明の入力装置を備えていることを特徴としている。この構成によれば、回転部材はその軸の方向において外径が変化しているので、例えば、複数のメニューの選択あるいは表示箇所のスクロールなどのための回転部材の回転操作において、小さな指の動きで回転部材を１回転させたり、大きな指の動きで回転部材を１回転させたりすることができる。
【００１８】
上記の電子装置において、前記回転部材は、電子装置の操作面において前記回転操作面が露出した状態に設けられ、かつ電子装置の前記操作面からの前記回転操作面の突出量を抑える方向に、前記操作面に対して軸方向が傾斜している構成としても良い。
【００１９】
上記の構成によれば、電子装置表面の出っ張り部分が小さくなり、電子装置をポケット等に入れても衣服を傷つけにくい。
【００２０】
上記の電子装置において、前記回転部材の形状は錐台形状部を含んでおり、かつこの錐台形状部が電子装置の前記操作面から露出しており、この露出部分における前記回転操作面の稜線が電子装置の前記操作面と平行である構成としても良い。
【００２１】
上記の構成によれば、前記回転部材の形状は錐台形状部を含んでおり、かつこの錐台形状部が電子装置の前記操作面から露出しており、この露出部分における前記回転操作面の稜線が電子装置の前記操作面と平行であるので、電子装置表面の出っ張り部分が確実に小さくなり、電子装置をポケット等に入れても衣服を傷つけにくい。また、電子装置において回転部材の操作が容易である。また、電子装置の厚さを全体的にほぼ均一にすることができるので、電子装置を本棚等に立てて収納しやすくなる。
【００２２】
上記の電子装置は、テキストあるいは画像などの電子データを記憶する電子データ記憶手段と、この電子データ記憶手段に記憶されている電子データを表示する表示手段と、前記入力装置の回転検出手段が検出した前記回転部材の回転方向および回転量に基づいて、前記表示手段における電子データの表示位置を前記回転量に応じた量だけ移動させるスクロール制御手段とを備えている構成としても良い。
【００２３】
上記の構成によれば、入力装置の回転部材を回転操作する場合の指を動かす量が同じであっても、回転部材の軸方向において操作位置を変えて回転部材を回転させると、異なった回転量すなわち表示データのスクロール量が得られる。
【００２４】
例えば、従来技術では、１画面分下にスクロールさせる場合、指を速く動かしてダイヤルを高速回転させる必要があった。これに対し、本電子装置では、回転部材における軸方向の操作位置を変えて回転部材を回転させるだけでよい。即ち、回転部材の小径側の位置を操作するだけで良い。このように、本装置では、指を動かす速さが同じであっても、回転部材の回転操作する位置を変えることにより、パラパラと本（表示画面）を流し読みしたり、じっくりと本（表示画面）を読んだりといったことができるので、使い勝手が良い。
【００２５】
また、上記電子装置において、第１の筐体部と第２の筐体部とを有し、第１の筐体部に対して第２の筐体部が開閉可能に設けられ、前記操作面は、第１の筐体部に対して第２の筐体部を閉じた場合の両筐体部の対向面における何れか一方の面である構成としても良い。
【００２６】
上記の構成によれば、特に、折畳み型携帯電話などでは折り畳んだときに入力装置の上に来る面を掘り込む必要がなくなる。
【発明の効果】
【００２７】
本発明の効果は、以下のようにまとめられる。
・ダイヤル（回転部材）を回転させる位置によって、小さな指の動きでダイヤルを１回転させたり、大きな指の動きでダイヤルを１回転させたりすることができる。例えば、図７の位置１の場所にてダイヤルを回転させたときの１回転あたりの回さなければならない距離（円周）は、位置２にて１回転あたりの回さなければならない距離よりも小さい。つまり、位置１の場所では、小さな指の動きでもダイヤルを１回転（３６０度回転）可能である。
・機器本体からダイヤル（回転部材）の突出部が出ないように、機器本体表面に対して回転軸を傾けて入力装置を設置するので、機器本体表面の出っ張り部分が小さくなり、機器本体をポケット等に入れても衣服を傷つけにくい。特に、折畳み型携帯電話などでは折り畳んだときに入力装置の上に来る面を掘り込む必要がなくなる。
【００２８】
即ち、本発明の入力装置において、前記回転部材は、前記回転操作面を回転操作する場合の軸方向の位置によって回転速度が変化するように、前記軸方向において外径が変化している構成である。
【００２９】
これにより、回転部材を回転操作する場合の軸方向の位置によって、小さな指の動きでダイヤルを１回転させたり、大きな指の動きでダイヤルを１回転させたりすることができる。したがって、例えば、本入力装置を表示装置のスクロール操作用の入力装置として使用した場合には、表示装置での表示箇所の素早いスクロールおよびゆっくりしたスクロールに容易に対応可能である。また、表示箇所を素早くスクロールする際のユーザの負担を軽減でき、かつそのような機能を単純な構成で実現可能である。
【発明を実施するための最良の形態】
【００３０】
以下添付図面を参照しながら、本発明の実施の形態を説明する。以下に説明する実施の形態においては、本発明による入力装置が、携帯電話等の折畳み型電子装置に適用されている場合を例として説明する。なお、本発明は、これらの実施の形態によって限定されるものではない。
【００３１】
（折畳み型電子装置の外観）
図２は、本発明の実施の形態における電子装置としての折畳み型電子装置の外観を示す図である。図２（Ａ）は折畳み型電子装置の正面図であり、図２（Ｂ）は折畳み型電子装置の側面図である。図２の折畳み型電子装置は、カバー部（第２の筐体部）２、ケース部（第１の筐体部）３及びヒンジ部５から構成され、カバー部２には、電子書籍などを表示する表示装置（表示手段）４が配置され、ケース部３には、画面のスクロールあるいはメニューの選択を行うジョグダイヤル装置（入力装置）１、電源のＯＮ・ＯＦＦあるいは文字を入力するキーボード６、及び本体の開閉を感知する開閉センサ７が配置される。
【００３２】
折畳み型電子装置は、ヒンジ部５により、カバー部２とケース部３とが連結され、ケース部３に対してカバー部２を折畳み可能な構成となっている。また、カバー部２及びケース部３の内部には、図示を省略する各種の回路が内装されている。
【００３３】
（折畳み型電子装置のハードウェア構成）
図３は、図２の折畳み型電子装置のハードウェア構成を示す。図３の折畳み型電子装置は、制御装置１００、ジョグダイヤル装置１、キーボード６、開閉センサ７、記憶装置１０１及び表示装置４から構成され、各部はバス１０２によって接続されている。
【００３４】
制御装置１００は、プロセッサなどから構成され、制御プログラムに従って動作し、この折畳み型電子装置全体の動作を制御する。記憶装置１０１は、ＲＡＭあるいはＲＯＭなどから構成され、入力指示、入力データ、一時データ、制御プログラム及び電子書籍プログラムなどのアプリケーションプログラムを記憶する。
【００３５】
キーボード６は、キー及びキーボードのコントローラなどで構成され、キー操作により文字などを入力するためのものである。また、電源のＯＮ及びＯＦＦを行うためキーも備える。
【００３６】
開閉センサ７は、折畳み型電子装置が閉じた状態にてＯＦＦとなるようなスイッチから構成され、折畳み型電子装置が閉じた状態か開いた状態かを検出する。例えば、折畳み型電子装置が閉じた状態において、開閉センサ７の位置に接するカバー部２の位置に出っ張りを設ける。そのようにすれば、折畳み型電子装置が閉じた際に、開閉センサ７の位置に圧力がかかるので、折畳み型電子装置が閉じた状態を検出することができる。
【００３７】
表示装置４は、液晶パネルや表示ドライバーなどから構成され、電子書籍データの内容などの表示を行う。
【００３８】
ジョグダイヤル装置１は、使用者の操作に応じて、表示装置４に表示されている画像のスクロールを行う。また、メニューの選択なども行う。ジョグダイヤル装置１については、詳しく後述する。
【００３９】
（ジョグダイヤル装置の構成）
図１は、本発明の入力装置の一実施形態であるジョグダイヤル装置１の機能構成を説明するための図である。図１のジョグダイヤル装置１は、ダイヤル（回転部材）１１ａ、ダイヤル１１ａの回転軸１２、回転測定部（回転検出手段）１３、スイッチ１４及び信号出力部１５から構成される。図４は、本発明の実施の形態におけるジョグダイヤル装置１の設置例を示す断面図である。
【００４０】
ダイヤル１１ａは、図４に示すように、錐台形をなし、回転軸１２がその中心軸を通るように設けられている。なお、上記錐台形には、例えば略円錐台形、略角錐台形、または略円錐台形部分を含む略円錐形あるいは略角錐台形部分を含む略角錐形が含まれる。
【００４１】
図４では、回転軸１２が中心に通されたダイヤル１１ａが弾性体２１を介して設置台２０に設置されている。ダイヤル１１ａは回転軸１２を中心に回転可能であると共に、上下方向、即ちケース部３の上面に対して垂直な方向に移動可能であり、ダイヤル１１ａが下方向に押下されると、スイッチ１４がＯＮの状態になる。即ち、ダイヤル１１ａは、例えば指によりケース部３の上面に対する垂直下方に押下可能であり、その押下力を解除した場合に、弾性体２１（例えばばね）の作用により、元の位置に復帰するようになっている。
【００４２】
さらに、ダイヤル１１ａは、ダイヤル１１ａの上面と設置台２０の表面がほぼ一致するように、回転軸１２を傾けて設置している。このように設置することによって、ダイヤルの突出している高さＤ１を小さくできる。図２のような折畳み型電子装置にジョグダイヤル装置１を設置した場合、電子装置を適切に閉じるためにケース部２を掘り込まなくても良い。また、普通の電子装置に適用した場合でも、本体表面からの突出部分を小さくできるので、電子装置をポケット等に入れても衣服を傷つけにくいという効果がある。尚、図５（Ａ）（Ｂ）のように、側面から見ると傾きがある（上部の厚さUHと下部の厚さLHが異なる）電子装置の下部にジョグダイヤル部1を設置すると、機器の上部の厚さUHと下部の厚さLHが略同一となるので、機器形状のバランスが良く、例えば本棚等に立てて収納しやすいという効果がある。
【００４３】
回転測定部１３は、ロータリーエンコーダなどから構成され、図６のようなダイヤル１１ａが回転した際に出力される電気信号を信号出力部１５に供給する。図６は、磁気式のインクリメンタル型ロータリーエンコーダの理想的なパルス出力である。A相とB相は、例えば、MRセンサ（外部磁界の変化で抵抗値が変化する強磁性体の磁気抵抗素子）から出力される信号である。
【００４４】
尚、特にインクリメンタル型ロータリーエンコーダである必要はなく、アブソリュート型ロータリーエンコーダを用いても良い。また、ロータリーエンコーダは、摺動式、光学式あるいは磁気式のどのような形式を用いても良い。ただし、一般にインクリメンタル型ロータリーエンコーダの方がアブソリュート型ロータリーエンコーダよりも高価である。
【００４５】
スイッチ１４は、ケース部３の上面に対して垂直な方向におけるダイヤル１1ａの下方位置に設けられている。このスイッチ１４は、ダイヤル１1ａが押下された状態においてＯＮとなるようなスイッチで構成し、ダイヤル１1ａが押下されたか否かを検出する。
【００４６】
信号出力部１５は、回転測定部１３及びスイッチ１４の出力信号を、以下１）〜５）に挙げるようなスイッチ１４及びダイヤル１１ａの状態を表すイベント信号に変換し、そのイベント信号を外部装置、即ち制御装置１００に出力する。
【００４７】
１）      スイッチ１４の押下が開始された
２）      スイッチ１４が押下中である
３）      スイッチ１４の押下が終了した
４）      ダイヤル１１ａが時計方向に1クリック分回転した
５）      ダイヤル１１ａが反時計方向に1クリック分回転した
ただし、ここでいう時計回り方向とは、図２の（Ｂ）の側面図に示される方向であり、１クリック分の回転とは回転測定部１３の検出できる最小角度である。勿論、各イベント信号をビットフラグで表し、ビットのＯＲをとることにより、２）かつ４）の状態であるというイベント信号を送ることも可能である。
【００４８】
また、本発明のジョグダイヤル装置は従来のものよりも簡単にダイヤルを高速回転させることができるので、インクリメンタル型ロータリーエンコーダを用いた場合に回転速度がサンプリング周波数以上になることが頻繁に発生する。そのような場合、インクリメンタル型ロータリーエンコーダは、現時刻に（今回）サンプリングした値と前時刻に（前回）サンプリングした値とを正確に比較することができないので、どちらへ回転したのかが判別できないエラーコードを生成する時がある。
【００４９】
この点を図６の例を参照して説明する。時刻ｔ１にて００、時刻ｔ２にて０１、時刻ｔ３にて１１、時刻ｔ４にて１０の値が正確にサンプリングされているので、現時刻にサンプリングした値と前時刻にサンプリングした値とを比較できる。しかし、高速に回転するとパルス間隔が小さくなるので、同じサンプリング周波数では、時刻ｔ１と時刻ｔ２の間に、００、０１、１１という値の変化が起こって、時刻ｔ１にて００、時刻ｔ２にて１１という値がサンプリングされ、００から１１への通常有り得ない変化が起こる（エラーコード発生）。
【００５０】
また、時刻ｔ１と時刻ｔ２の間に、００、０１、１１、１０、００という値の変化が起こって、時刻ｔ１にて００、時刻ｔ２にて００とサンプリングされ、静止した状態を示す静止コードを誤って出力することもある。
【００５１】
そこで、エラーコードが発生した場合あるいは回転していた状態から静止コードが発生した場合、前回と同じ方向に２カウントとすることによって、高速回転に対応させても良い。そのような処理にてエラーコードを防ぎ、高速回転に対応させることによって、ユーザの使い勝手を向上することができる。尚、信号出力部１５の機能は、制御装置１００が備えていても良い。
【００５２】
図７のように、円錐台のダイヤル１１ａを用いたジョグダイヤル装置１では、外径が小さい位置でダイヤル１１ａを回転させると、小さな指の動きで大きな回転量を得ることができる。つまり、従来の例えば略円柱形のジョグダイヤルのように、ユーザは高速でダイヤルを回転させなくても、操作する位置を変えるだけでよい。
【００５３】
なお、ダイヤルの形状は、図４に示したダイヤル１１ａのように錐台形状に限定されない。例えば、図８に示すダイヤル１１ｂのように回転軸１２方向において点Ｘ１から点Ｘ２に向かって、段階的に外径が大きくなっていく形状をしていてもよい。この場合、一番小さな指の動きにて一番大きな回転ができる回転操作面の位置など、どの回転操作面の位置を操作すれば所望の動きが得られるかがユーザにとって分かり易い。つまり、ユーザはダイヤルの外径の変化が分かりやすいので、指の動きに応じて回転できる量が明確に分かる。図８の幅Ｗは、各段階の操作面を簡単に操作できるように、人間の指の平均的な太さ、例えば１ｃｍ程度が最適である。
【００５４】
また、図９に示すダイヤル１１ｃのように、同一形状の錘台の底面同士を接合した左右対称の形状（軸方向の中央部における外径が最大となり、前記中央部を通りかつ軸方向に垂直な面の両側の形状が対称である形状）にしても良い。この場合、左利きあるいは右利きに関係なく、同じ感覚で操作ができるという利点がある。図１０では左右対称形状のダイヤルと錘台形状ダイヤルとが比較されており、傾斜角度Ｃｒの方が傾斜角度Ａｒより大きく、ダイヤルの位置に対して外周の変化が激しいことが分かる。
【００５５】
（電子書籍閲覧での応用実施例）
（応用実施例の機能構成）
ここで、図３のハードウェア構成を有する折畳み型電子装置にて、電子書籍閲覧プログラムを動作させた場合の応用例を説明する。図１１は、本実施例における電子書籍閲覧プログラムの基本機能構成を示すブロック図を示す。図１１の電子書籍プログラムは、電子書籍オープン部Ｆ１、スクロール量設定部Ｆ２、回転検知部Ｆ３、スクロール制御部Ｆ４、書籍データ表示部Ｆ５及び電子書籍クローズ部Ｆ６の機能を備える。
【００５６】
電子書籍オープン部Ｆ１は、制御装置１００及びこの制御装置１００が実行するプログラムによって構成され、電子書籍ファイルを開き、初期の電子書籍の内容の表示を行う。
【００５７】
スクロール量設定部Ｆ２は、制御装置１００及びこの制御装置１００が実行するプログラムによって構成され、ジョグダイヤル装置１のダイヤルを１クリック回転させた時にどのぐらい表示をスクロールするかを設定する。例えば、ダイヤルを1クリック回転させた時に1行スクロールさせるというような設定を行う。
【００５８】
回転量検知部Ｆ３は、ジョグダイヤル装置１の信号出力部１５から出力される、ダイヤル１１ａの回転量に応じたスクロール量を表すイベント信号を検知する。
【００５９】
スクロール制御部Ｆ４は、制御装置１００及びこの制御装置１００が実行するプログラムによって構成され、スクロール量設定部Ｆ２にて設定された量だけ、現在表示している文章データから前あるいは後に続く文章データを表示するための表示データを作成する。
【００６０】
書籍データ表示部Ｆ５は、表示装置４によって構成され、スクロール制御部Ｆ４にて作成した表示データを表示する。
【００６１】
電子書籍クローズ部Ｆ６は、制御装置１００及びこの制御装置１００が実行するプログラムによって構成され、電子書籍オープン部Ｆ１にて開いた書籍ファイルを閉じる。
【００６２】
（応用実施例の処理及び動作）
ここで、図１２のフローチャートを用いて、図３のハードウェア構成をした折畳み型電子装置にて、電子書籍閲覧プログラムを動作させた場合の処理及び動作を詳細に説明する。
【００６３】
Ｓ１では、電子書籍オープン部Ｆ１が、電子書籍ファイルを開く。ここでいう電子書籍ファイルを開くとは、電子書籍ファイルのデータにアクセスするためのファイルハンドラ（ファイルデータが記憶されている記憶装置１０１の位置）を取得することを意味する。
【００６４】
Ｓ２では、電子書籍オープン部Ｆ１が、電子書籍ファイルを開き、スクロールバーの初期位置を設定し、書籍の1ページ目のデータを表示する。
【００６５】
Ｓ３では、スクロール量設定部Ｆ２が、ジョグダイヤル装置１のダイヤル１１ａを１クリック回転させた時にどのぐらい表示をスクロールするかを設定する。
【００６６】
Ｓ４では、電子書籍クローズ部Ｆ６が、電子書籍ファイルを閉じるか否かを判断する。もし、電子書籍ファイルを閉じるなら、電子書籍閲覧プログラムの動作を終了する。ただし、ここでいう電子書籍ファイルを閉じるとは、電子書籍ファイルのデータにアクセスするためのファイルハンドラを開放することを意味する。
【００６７】
Ｓ５では、回転量検知部Ｆ３が、ジョグダイヤル装置１のダイヤルが時計回り方向に回転したか否かを判定する。また、Ｓ６では、回転量検知部Ｆ３が、ジョグダイヤル装置１のダイヤルが反時計回り方向に回転したか否かを判定する。
【００６８】
Ｓ５にて、回転量検知部Ｆ３が、ダイヤルが時計回り方向に１クリック分回転したと検知した場合、Ｓ７の処理に進む。また、Ｓ６にて、回転量検知部Ｆ３が、ダイヤルが反時計回り方向に１クリック分回転したと検知した場合、Ｓ８の処理に進む。
【００６９】
Ｓ７では、スクロール制御部Ｆ４が、現在表示している文章データからＳ３にて設定されたスクロール量の分だけ後ろにある文章データを表示するための表示データを作成する。例えば、Ｓ３にてダイヤルを１クリック分回転させた時に１行だけスクロールさせると設定していた場合に、Ｓ７では現在表示している文章データから１行だけ後ろの文章データを表示するための表示データを作成する。
【００７０】
さらに、Ｓ７では、スクロールバーの位置を下に移動させる。例えば、スクロールバーを移動させる（ピクセル座標での）大きさ＝（画面上のスクロールバーの長さ）÷（Ｓ１にて開いた電子書籍がＳ３にて設定されたスクロール量の何倍のデータを持つか）とすれば良い。その場合、スクロールバーの画面上の長さが１０００ドットであり、電子書籍データが５００行のデータを持っていて、Ｓ３にてダイヤルを１クリック回転させた時に１行だけスクロールさせると設定されていると、スクロールバーを移動させる量は、１０００÷５００＝２ドットとなる。
【００７１】
Ｓ８では、スクロール制御部Ｆ４が、現在表示している文章データからＳ３にて設定されたスクロール量の分だけ前にある文章データを表示するための表示データを作成する。さらに、Ｓ８では、スクロールバーの位置を上に移動させる。ここで、スクロールバーを移動させる量は、Ｓ７と同じである。
【００７２】
Ｓ９にて、書籍データ表示部Ｆ５が、Ｓ７あるいはＳ８にて作成した表示データを表示する。
【００７３】
図１３は、本実施例における電子書籍閲覧プログラムの表示例を示している。Ｓ３にてダイヤルを１クリック回転させた時に１行だけスクロールさせると設定していた場合に、ジョグダイヤル装置１のダイヤルを時計方向に１１クリック分回転させることによって、１画面分下に表示データがスクロールしている。
【００７４】
図１４は、ダイヤルを操作する指の位置（回転軸上の位置）と、ダイヤルを一回転（３６０度回転）させるのに必要な指の動きの量（円周の長さ）の関係を示した図である。図１４のグラフのｘ軸は、ダイヤルを操作する指の位置を示す。また、図１４のグラフのｙ軸は、ダイヤルを一回転させるのに必要な指の動きの量を示す。例えば、ダイヤルのＷが３ｃｍ、Ｒが１ｃｍである場合、ｘが３ｃｍの位置にてダイヤルを操作した時、ダイヤルを一回転するために指を約３．１ｃｍ（＝π×１×３／３）を動かす必要がある。一方で、ｘが１ｃｍの位置にてダイヤルを操作した時、ダイヤルを一回転するために指を約１．０ｃｍ（＝π×１×１／３）を動かすだけでよい。
【００７５】
従来技術では、１画面分下にスクロールさせる際にダイヤルを高速回転する必要があったが、本実施の形態のジョグダイヤル装置１ではダイヤル１１ａの操作する位置を変えてダイヤル１１ａを回転させるだけ、即ちダイヤル１１ａの小径側の位置を操作するだけで良い。このように指を動かす量が同じでも、回転させるダイヤルの位置を変えることにより、パラパラと本を流し読みしたり、じっくりと本を読んだりとできるので、使い勝手が良い。
【００７６】
尚、従来技術の特開２００１−１４２６１３のように二つのジョグダイヤルを用いた場合には、各ダイヤルについてＳ３の設定をする必要があり、電子書籍を読むユーザにとって手間がかかる。さらには、どちらのダイヤルが１クリックでどれだけ移動するかということを覚えておかなければならないという欠点もある。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７８】
本発明は、例えば表示装置を備えた携帯電話機の入力装置、いわゆるジョグダイヤルとして好適である。特に、折畳式の携帯電話機において、折り畳まれた場合の内面に設けられる入力装置として好適である。
【図面の簡単な説明】
【００７９】
【図１】本発明の実施の形態における入力装置としてのジョグダイヤル装置の構成を示す説明図である。
【図２】図２（Ａ）は、本発明の実施の形態における電子装置としての折畳み型電子装置の正面図、図２（Ｂ）は同側面図である。
【図３】図２（Ａ）（Ｂ）に示した折畳み型電子装置のハードウェア構成を示すブロック図である。
【図４】図１に示したジョグダイヤル装置の設置例を示す断面図である。
【図５】図５（Ａ）は、図１に示したジョグダイヤル装置を備える電子装置の正面図、図５（Ｂ）は同側面図である。
【図６】図１に示した回転測定部の出力信号の例を示す説明図である。
【図７】図１に示したジョグダイヤル装置に対する複数の操作位置での操作例およびその作用の説明図である。
【図８】図１に示したジョグダイヤル装置が備えるダイヤルの他の例を示す斜視図である。
【図９】図１に示したジョグダイヤル装置が備えるダイヤルのさらに他の例を示す斜視図である。
【図１０】左右対称に錘台形状を有するダイヤルと１個のみの錘台形状を有するダイヤルとの違いを示す説明図である。
【図１１】図１に示したジョグダイヤル装置を使用した電子装置が備える電子書籍閲覧プログラムの基本機能構成を示すブロック図である。
【図１２】図１１に示した電子書籍閲覧プログラムに基づく電子装置での処理及び動作を示すフローチャートである。
【図１３】図１２に示した電子装置での表示動作の説明図である。
【図１４】図１に示したジョグダイヤル装置でのダイヤルを操作する指の位置と、ダイヤルを一回転（３６０度回転）させるのに必要な指の動き量（円周の長さ）との関係を示す説明図である。
【符号の説明】
【００８０】
１    ジョグダイヤル装置（入力装置）
２    カバー部（第２の筐体部）
３    ケース部（第１の筐体部）
４    表示装置（表示手段）
５    ヒンジ部
６    キーボード
７    開閉センサ
１１ａ  ダイヤル（回転部材）
１１ｂ  ダイヤル（回転部材）
１１ｃ  ダイヤル（回転部材）
１２    回転軸
１３    回転測定部（回転検出手段）
１４    スイッチ
１５    信号出力部
２０    設置台
２１    弾性体
１００    制御装置
１０１    記憶装置（電子データ記憶手段）
１０２    バス
【図１】
2005234713.tif 000003
【図２】
2005234713.tif 000004
【図３】
2005234713.tif 000005
【図４】
2005234713.tif 000006
【図５】
2005234713.tif 000007
【図６】
2005234713.tif 000008
【図７】
2005234713.tif 000009
【図８】
2005234713.tif 000010
【図９】
2005234713.tif 000011
【図１０】
2005234713.tif 000012
【図１１】
2005234713.tif 000013
【図１２】
2005234713.tif 000014
【図１３】
2005234713.tif 000015
【図１４】
2005234713.tif 000016